(57)【要約】      （修正有）【課題】手間を軽減させることの出来る弦楽器の駒を提供する。【解決手段】弦溝が形成される前の状態の駒において、駒１０の長さ方向の中央を示す中央目印Ａ１が表示されており、駒端面１２または駒周面１１に駒の高さを表す数値が表示されている弦楽器の駒１０を提供する。【選択図】図１
0003212174.tif 000002
【実用新案登録請求の範囲】
【請求項１】
弦溝が形成される前の状態の駒において、
駒周面（１１）に、
駒の長さ方向の中央を示す中央目印（Ａ１またはＡ２）が、
表示されていることを特徴とする弦楽器の駒。
【請求項２】
前記中央目印が、凹状または凸状に形成されている
ことを特徴とする請求項１に記載の弦楽器の駒。
【請求項３】
前記弦楽器は１本の中央弦（２０）および複数の周辺弦（２１）を有しており、
前記周辺弦の中の少なくともひとつの弦の弦支持部（１４）の目安となる
周辺目印（Ｂ１またはＢ２）が、
前記駒周面に設けられている
ことを特徴とする請求項１または２に記載の弦楽器の駒。
【請求項４】
略三角柱の形状であり、両端に駒端面（１２）を有し、
一方の駒端面の角と他方の駒端面の角を結ぶ稜線（１３）を有し、
一つの稜線における弦支持部から載置面までの距離の大きさと
他のいずれか一つの稜線における弦支持部から載置面までの距離の大きさに
所定の差異があることを特徴とする請求項１乃至３のいずれか一項に記載の弦楽器の駒。
【請求項５】
駒端面の形状が、略正三角形または略二等辺三角形である
ことを特徴とする請求項１乃至４のいずれか一項に記載の弦楽器の駒。
【請求項６】
駒端面または駒周面に、
駒の高さを表す数値（１５）が表示されている
ことを特徴とする請求項１乃至５のいずれか一項に記載の弦楽器の駒。
【考案の詳細な説明】
【技術分野】
【０００１】  本考案は、弦楽器の駒に関するものである。
【背景技術】
【０００２】  弦楽器の駒には、様々な大きさ（高さ・幅）があり、様々な形状があり、弦溝が未加工のままで流通することもある。
弦溝が未加工な場合には、演奏者自身が、弦溝の位置を決めて、弦溝を形作る必要がある。
【考案の概要】
【考案が解決しようとする課題】
【０００３】  従来の弦楽器の駒を使用した場合には、どの位置に弦溝を加工したら良いのか直観的に把握することが出来なかった。
本考案の目的は、弦溝を形作る作業における手間を軽減させることの出来る駒を提供することにある。
【課題を解決するための手段】
【０００４】  上記の目的を達成する為、  弦溝が形成される前の状態の駒において、  駒周面１１に、駒の長さ方向の中央を示す中央目印（Ａ１またはＡ２）が、表示されていることを特徴とする弦楽器の駒を提供する。【０００５】  本考案に係る弦楽器の駒においては、前記中央目印が、凹状または凸状に形成されていることが好ましい。【０００６】  本考案に係る弦楽器の駒においては、前記弦楽器は１本の中央弦２０および複数の周辺弦２１を有しており、前記周辺弦の中の少なくともひとつの弦の弦支持部１４の目安となる周辺目印（Ｂ１またはＢ２）が、前記駒周面に設けられていることが好ましい。【０００７】  本考案に係る弦楽器の駒においては、略三角柱の形状であり、両端に駒端面１２を有し、一方の駒端面の角と他方の駒端面の角を結ぶ稜線１３を有し、一つの稜線における弦支持部から載置面までの距離の大きさと他のいずれか一つの稜線における弦支持部から載置面までの距離の大きさに所定の差異があることが好ましい。【０００８】  本考案に係る弦楽器の駒においては、駒端面の形状が、略正三角形または略二等辺三角形であることが好ましい。【０００９】  本考案に係る弦楽器の駒においては、駒端面または駒周面に、駒の高さを表す数値１５が表示されていることが好ましい。
【考案の効果】
【００１０】  弦溝の位置決めに対する負担を軽減させ、それと合わせて、弦の高さ調整が容易に出来るようになる。
【図面の簡単な説明】
【００１１】
【図１】本考案の実施形態に係る弦楽器の駒の斜視図である。
【図２】本考案の実施形態に係る弦楽器の駒の平面図である。
【図３】本考案の実施形態に係る弦楽器の駒の断面図（高さの違いを表す図）である。
【図４】本考案の実施形態に係る弦楽器の駒の変形例１の斜視図である。
【図５】本考案の実施形態に係る弦楽器の駒の変形例２の断面図である。
【図６】本考案の実施形態に係る弦楽器の駒の変形例３の断面図である。
【図７】本考案の実施形態に係る弦楽器の駒の変形例４の斜視図である。
【図８】本考案の実施形態に係る弦楽器の駒の変形例５の斜視図である。
【図９】本考案の実施形態に係る弦楽器の駒の変形例６の平面図である。
【図１０】本考案の実施形態に係る弦楽器の駒の変形例７の平面図である。
【図１１】本考案の実施形態に係る弦楽器の駒の変形例８の平面図である。
【図１２】本考案の実施形態に係る弦楽器の駒の変形例９の斜視図である。
【考案を実施するための形態】
【００１３】  図１は本考案実施形態に係る弦楽器の駒の斜視図であり、図２は同実施例の平面図である。
本考案による弦楽器の駒１０の基本的な形状は略三角柱である。両端に駒端面１２があり、一方の駒端面の角と他方の駒端面の角を結ぶ３本の稜線１３ａ・１３ｂ・１３ｃが形成されている。駒周面１１は、駒の全面から駒端面１２を除いた面である。
駒周面１１において、駒の長さ方向の略中央で、稜線１３の近傍の位置に、中央目印Ａ１が示されている。
図示された例では、中央目印Ａ１は、直径幅の小さな円形であり、凹穴の形状である。これ以外にも、例えば、直径幅の小さな円形の凸形状、ペン等で記した記号などを用いることも可能である。
この中央目印Ａ１を基準として、弦楽器の中央弦２０を支持する弦溝を形成させることが容易になる。
【００１４】  図３は本考案の実施形態に係る弦楽器の駒の断面図（高さの違いを表す図）である。駒の載置面を変化させることで、載置面から弦支持部１４までの長さを変化させることが出来る。
また、駒端面１２に、駒の高さを表す数値１５が示されている。駒の上部に位置する稜線が、稜線１３ａの場合には駒の高さは７ｍｍであり、稜線１３ｂの場合には駒の高さは８ｍｍであり、稜線１３ｃの場合には駒の高さは９ｍｍであることを示している。
この数値は実際の駒の高さを示しており、使用者にとって演奏しやすい高さに弦の位置を調整することが容易に出来るようになる。
ここに記された数値は一例に過ぎず、駒の形状により駒端面１２に示すべき数値が変化するのは、当然のことである。
【００１５】  図４は本考案の実施形態に係る弦楽器の駒の変形例１の斜視図である。
中央目印Ａ２は、駒の長さ方向の中央を示し、一定の長さを持つ。図示された例では、稜線１３ａと稜線１３ｂの近傍まで、一定の幅を持つ線で示されている。
中央目印Ａ１と同様に、中央目印Ａ２を基準として、中央の弦２０を支持する弦溝を形成させることが容易になる。
【００１６】  図５は本考案の実施形態に係る弦楽器の駒の変形例２の断面図である。駒端面の形状が略正三角形になっている。
これにより、同じ高さにおいて、弦溝を形成させることが可能である。
【００１７】  図６は本考案の実施形態に係る弦楽器の駒の変形例３の断面図である。駒端面の形状が略二等辺三角形になっている。
これにより、二つの稜線の高さに変化を設けながら、さらに弦溝を形成させることが可能になる。
【００１８】  図７は本考案の実施形態に係る弦楽器の駒の変形例４の斜視図である。
弦楽器の中央弦２０の両サイドには周辺弦２１がある。駒周面１１において中央目印Ａ１の両サイドに周辺目印Ｂ１が設けられており、周辺目印Ｂ１は、この周辺弦２１を支える弦溝の位置を決める目安の役割をする。
ここではＢ１の形状は円形の凹穴であるが、凸形状、ペン等で記した記号などを用いることも可能である。
【００１９】  図８は本考案の実施形態に係る弦楽器の駒の変形例５の斜視図である。
駒周面１１において中央目印Ａ２の両サイドに周辺目印Ｂ２が設けられており、周辺目印Ｂ２は、この周辺弦２１を支える弦溝の位置を決める目安の役割をする。
ここではＢ２の形状は、稜線１３ａ近傍から１３ｂ近傍にまで伸びる太線で示されているが、凹形状、凸形状、ペン等で記した線や記号、または刻線でも可能である。
【００２０】  図９は本考案の実施形態に係る弦楽器の駒の変形例６の平面図である。
図示された例では、中央目印Ａ１の左右、または上下において、区別目印Ｃ１が設けられている。
この区別印Ｃ１が各々の駒周面において異なる為、演奏者が弦の高さを調整する上で、現在の弦の高さレベルを把握することを容易化させることが出来る。
【００２１】  図１０は本考案の実施形態に係る弦楽器の駒の変形例７の平面図である。
図示された例では、駒周面１１の中間幅を示す仕切線Ｄ１が設けられており、仕切線Ｄ１の上に、１本以上の区別目印Ｃ２が設けられている。
この区別目印Ｃ２が各々の駒周面において異なる為、演奏者が弦の高さを調整する上で、現在の弦の高さレベルを把握することを容易化させることが出来る。
【００２２】  図１１は本考案の実施形態に係る弦楽器の駒の変形例８の平面図である。
図示された例では、駒周面１１の幅方向の中間幅を示す仕切線Ｄ１と並行に仕切線Ｄ２が設けられている。
この区別目印Ｄ２が各々の駒周面において異なる為、演奏者が弦の高さを調整する上で、現在の弦の高さレベルを把握することを容易化させることが出来る。
【００２３】  図１２は本考案の実施形態に係る弦楽器の駒の変形例９の斜視図である。
駒の高さを表す数値１５が、弦周面１１に示されている。図３で示した例では、駒端面１２に示されていたが、駒端面１２よりも広い面積を有する駒周面１１に駒の高さを表す数値１５を示すことで、視認性を高めることが出来る。
【００２４】  さらに、図示された例では、駒周面１１の幅方向の中間幅を示す仕切線Ｄ１と、駒周面１１の長さ方向の中間幅を示す仕切線Ｄ３が示されている。
この仕切線Ｄ１と仕切線Ｄ２によって、駒の高さを表す数値１５の視認性をさらに高めることが出来る。
【符号の説明】
【００２５】Ａ１  Ａ２  中央目印
Ｂ１  Ｂ２  周辺目印
Ｃ１  Ｃ２  区別目印
Ｄ１  Ｄ２  Ｄ３  仕切線
１０  駒
１１  駒周面
１２  駒端面
１３ａ  １３ｂ  １３ｃ  稜線
１４  弦支持部
１５  数値
２０  中央弦
２１  周辺弦
【図１】
0003212174.tif 000003
【図２】
0003212174.tif 000004
【図３】
0003212174.tif 000005
【図４】
0003212174.tif 000006
【図５】
0003212174.tif 000007
【図６】
0003212174.tif 000008
【図７】
0003212174.tif 000009
【図８】
0003212174.tif 000010
【図９】
0003212174.tif 000011
【図１０】
0003212174.tif 000012
【図１１】
0003212174.tif 000013
【図１２】
0003212174.tif 000014